(57)【要約】【課題】下部可動接点（１段目）の動作ストロークを確保すると共に、動作音が小さい２段動作のプッシュスイッチを提供する。【解決手段】下部可動接点４０は中央孔４１ａが設けられた環状部４１とその環状部４１の外周縁部から延設された複数の脚部４２とを有し、環状部４１は平板状に形成し、各脚部４２には、環状部４１の外周縁部の一部からなる付け根部４１ａと、その付け根部４１ａから第１曲げ部４２ｂを介して下方に傾斜して延設する上側脚片部４２ｃと、その上側脚片部４２ｃから第２曲げ部４２ｄを介して上側脚片部４２ｃの下方に延設する下側脚片部とをそれぞれ設け、各脚部４２は、略Ｕ字状の板バネをそれぞれ形成し、環状部４１を下部可動接点４０の設置面に上下移動可能に支持する構成とした。【選択図】図３
2012146484.tif 000002
【特許請求の範囲】
【請求項１】
上面開口で、内側壁に複数の溝部が設けられた凹部を有する絶縁樹脂製の箱型のボディと、上記凹部２の内底面中央に配設された中央固定接点と、その中央固定接点の外側に配設された複数の周辺固定接点と、上記凹部に収容され、中央孔を設けて複数の上記周辺固定接点の上方に対向して配置された環状部とその環状部の外周縁部から延設され複数の上記溝部に対応して配置された複数の脚部とを有する金属板からなる下部可動接点と、上記環状部上に載置され、外周縁部が上記環状部に常時接触され反転可能な中央部が上記中央固定接点の上方に上記中央孔を通して対向して配置された上方に膨出したドーム状金属板からなる上部可動接点とを備え、上記環状部は、平板状に形成し、上記各脚部には、上記環状部の外周縁部から第１曲げ部を介して上記溝部の内奥下部に向かって下方に傾斜して延設する上側脚片部と、その上側脚片部から上記溝部の内奥にある上記凹部の内側壁の手前側に所定の間隔をあけて配置する第２曲げ部を介して上記上側脚片部の下方に延設する下側脚片部とをそれぞれ設け、上記各脚部は、略Ｕ字状の板バネをそれぞれ形成し、上記下側脚片を上記溝部にある上記凹部の内底面に当接し、上記環状部とその上に載置された上記上部可動接点とを上下移動可能に支持すると共に、上記環状部の外周縁には、上記各脚部の上記第１曲げ部の両側縁に連続する複数の切欠き部対を設け、上記各脚部にはまた、上記環状部における上記各切り欠き部対の対内の切り欠き部に挟まれた部分からなる付け根部をそれぞれ設け、上記各脚部は、上記付け根部と上記第１曲げ部と上記上側脚片部とで上記第１曲げ部を頂部とする座屈可能な折板をそれぞれ形成し、上記上部可動接点の外周縁部に上記環状部の外周縁部、及び上記各脚部の上記第１曲げ部又は上記付け根部を当接することを特徴とするプッシュスイッチ。
【請求項２】
上記各脚部には更に、上記下側脚片部から第３曲げ部を介して上方に傾斜して延設し先端側を上記付け根部の下方に対向して配置する延長部をそれそれ設け、上記各脚部は、上記延長部で片持ち梁状の復帰用補助板バネをそれぞれ形成し、上記折板が座屈した後に上記延長部の先端側が上記付け根部に当接して押し下げられ、上記延長部によって上記付け根部を上方に付勢する請求項１に記載のプッシュスイッチ。
【発明の詳細な説明】
【技術分野】
【０００１】
本発明は、各種電子機器の入力操作部に使用されるプッシュスイッチに関し、特に可動接点が上下２段に組込まれ、押圧操作により１段目のスイッチがオン状態となり、更に押圧操作すると２段目のスイッチがオン状態となる２段動作のプッシュスイッチに関する。
【背景技術】
【０００２】
通常の２段動作のプッシュスイッチでは、上部可動接点に、上方に膨出した円形のドーム状金属板（円形のドーム状板バネ）が使用され、下部可動接点に、上部可動接点より小径で上方に膨出した円形のドーム状金属板（円形のドーム状板バネ）が使用される。上部可動接点の中央部が押し下げられると、そこが反転して対向する下部可動接点の中央部に接触し、１段目のクリック感触を伴って、下部可動接点の外周縁部に常時接触する周辺固定接点と上部可動接点の外周縁部に常時接触する他の周辺固定接点とが、下部可動接点と上部可動接点を介して導通され、１段目のスイッチがオン状態となる。また、上部可動接点の中央部の反転時に１段目の動作音を発生する。そして、更に上部可動接点の中央部が押し下げられると、下部可動接点の中央部が反転して対向する中央固定接点に接触し、２段目のクリック感触を伴って、中央固定接点と周辺固定接点とが、下部可動接点を介して導通され、２段目のスイッチがオン状態となる。また、下部可動接点の中央部の反転時に２段目の動作音を発生する。
【０００３】
上記通常の２段動作のプッシュスイッチにおいて、各可動接点の動作ストロークを大きくするためには外径の大きな円形のドーム状金属板を必要とし、それらを収容するボディの凹部を大きくしなければならず、ボディの外形が大型化してしまうという問題があった。
【０００４】
上記問題を解決するため特許文献１記載の２段動作のプッシュスイッチは、ボディの４つの角部に対応する凹部の内側壁にそれぞれ溝部を設け、上部可動接点に、外周縁部から斜め下方に傾斜してボディの溝部に位置するように４つの脚部を連続して延設した脚付きのドーム状金属板を使用し、上部可動接点（１段目）の動作ストロークを確保すると共に、ボディ外形の小型化を図っている。なお、下部可動接点には、通常の円形のドーム状金属板が使用される。
【０００５】
しかしながら、上記特許文献１記載の２段動作のプッシュスイッチは、通常の２段動作のプッシュスイッチと同様に、上部可動接点が１段目反転動作、下部可動接点が２段目反転動作となることから、上部可動接点の中央部を下部可動接点の中央部が反転するまで押圧した場合（２段目のスイッチがオン状態となる。）、上部可動接点は相当な応力が負荷される状態まで変形するため寿命が下部可動接点と比べて短くなってしまうという問題があった。
【０００６】
他方、特許文献２記載の２段動作のプッシュスイッチは、下部可動接点に、上記脚付きのドーム状金属板に対し、更にその中央部に大きな円形の孔を開けた脚付きで中央孔開きのドーム状金属板を使用し、上部可動接点に、通常の円形のドーム状金属板を使用し、上部可動接点は、下部可動接点の中央孔周辺の環状部上に載置する。
【０００７】
上記特許文献２記載の２段動作のプッシュスイッチは、通常の２段動作のプッシュスイッチや特許文献１記載の２段動作のプッシュスイッチとは異なり、上部可動接点の中央部が押し下げられると、下部可動接点の環状部が押し下げられ、そこが反転して対向する複数の周辺固定接点に接触し、１段目のクリック感触を伴って、複数の周辺固定接点同士が、下部可動接点を介して導通され、１段目のスイッチがオン状態となる。また、下部可動接点の環状部の反転時に１段目の動作音を発生する。そして、更に上部可動接点の中央部が押し下げられると、そこが反転して下部可動接点の中央孔を通して対向する中央固定接点に接触し、２段目のクリック感触を伴って、中央固定接点と周辺固定接点とが、下部可動接点と上部可動接点を介して導通され、２段目のスイッチがオン状態となる。また、上部可動接点の中央部の反転時に２段目の動作音を発生する。
【０００８】
上記特許文献２記載の２段動作のプッシュスイッチでは、下部可動接点が１段目反転動作、上部可動接点が２段目反転動作となり、１段目で下部可動接点だけが変形し、２段目で上部可動接点だけが変形することから、下部可動接点と上部可動接点とに略同等の寿命を確保することができる。しかし、下部可動接点の中央部（環状部）が、中央孔開きのドーム形状で反転するため、下部可動接点（１段目）の動作ストロークが小さく、動作音が大きいという問題があった。
【先行技術文献】
【特許文献】
【０００９】
【特許文献１】特開２００３−７１６８号公報
【特許文献２】特開２００８−４１６０３号公報
【発明の開示】
【発明が解決しようとする課題】
【００１０】
本発明では上記問題点を解決し、下部可動接点（１段目）の動作ストロークを確保すると共に、動作音が小さい２段動作のプッシュスイッチを提供することを目的とする。
【課題を解決するための手段】
【００１１】
上記課題を解決するため本発明では第１の手段として、上面開口で、内側壁に複数の溝部３が設けられた凹部２を有する絶縁樹脂製の箱型のボディ１と、上記凹部２の内底面中央に配設された中央固定接点１０と、その中央固定接点１０の外側に配設された複数の周辺固定接点２０，３０と、上記凹部２に収容され、中央孔４１ａを設けて複数の上記周辺固定接点２０，３０の上方に対向して配置された環状部４１とその環状部４１の外周縁部から延設され複数の上記溝部３に対応して配置された複数の脚部４２とを有する金属板からなる下部可動接点４０と、上記環状部４１上に載置され、外周縁部が上記環状部４１に常時接触され反転可能な中央部が上記中央固定接点１０の上方に上記中央孔４１ａを通して対向して配置された上方に膨出したドーム状金属板からなる上部可動接点５０とを備え、上記環状部４１は、平板状に形成し、上記各脚部４２には、上記環状部４１の外周縁部から第１曲げ部４２ｂを介して上記溝部３の内奥下部に向かって下方に傾斜して延設する上側脚片部４２ｃと、その上側脚片部４２ｃから上記溝部３の内奥にある上記凹部２の内側壁の手前側に所定の間隔Ｇをあけて配置する第２曲げ部４２ｄを介して上記上側脚片部４２ｃの下方に延設する下側脚片部４２ｅとをそれぞれ設け、上記各脚部４２は、略Ｕ字状の板バネをそれぞれ形成し、上記下側脚片４２ｅを上記溝部３にある上記凹部２の内底面に当接し、上記環状部４１とその上に載置された上記上部可動接点５０とを上下移動可能に支持すると共に、上記環状部４１の外周縁には、上記各脚部４２の上記第１曲げ部４２ｂの両側縁に連続する複数の切欠き部対４１ｂ，４１ｃを設け、上記各脚部４２にはまた、上記環状部４１における上記各切り欠き部対４１ｂ，４１ｃの対内の切り欠き部４１ｂ，４１ｃに挟まれた部分からなる付け根部４２ａをそれぞれ設け、上記各脚部４２は、上記付け根部４２ａと上記第１曲げ部４２ｂと上記上側脚片部４２ｃとで上記第１曲げ部４２ｂを頂部とする座屈可能な折板をそれぞれ形成し、上記上部可動接点５０の外周縁部に上記環状部４１の外周縁部、及び上記各脚部４２の上記第１曲げ部４２ｂ又は上記付け根部４２ａを当接する構成とした。
【００１２】
上記第１の手段によれば、下部可動接点４０（１段目）は、上部可動接点５０の中央部が押し下げられると、中央部が中央孔開きのドーム形状で反転する従来の下部可動接点（１段目）とは異なり、環状部４１が平板状で押し下げられると共に、各脚部（略Ｕ字状の板バネ）４２が一斉に圧縮変形しながら外側に広がり、各脚部４２の第２曲げ部４２ｄがボディ１の各溝部３の内奥にある凹部２の内側壁に一斉に突き当たることで、ボディ１の各溝部３の内奥にある凹部２の内側壁と平板状の環状部４１との間で各脚部４２の折板（付け根部４２ａと第１曲げ部４２ｂと上側脚片部４２ｃ）が一斉に座屈し、平板状の環状部４１が対向する複数の周辺固定接点２０，３０に接触する。すると、複数の周辺固定接点２０，３０同士が、下部可動接点４０を介して導通され、１段目のスイッチがオン状態となる。このように下部可動接点４０では、環状部４１の反転を伴わない１段目動作となるが、各脚部４２の一斉圧縮変形によって動作ストロークを確保することができると共に、各脚部４２の折板の一斉座屈によってクリック感触を付与することができる。また、環状部４１に比べて小さい各脚部４２であって、更にその各脚部４２の一部である折板が座屈するだけで１段目の動作音は小さくなる。そして、更に上部可動接点５０の中央部が押し下げられると、そこが反転して下部可動接点４０の中央孔４１ａを通して対向する中央固定接点１０に接触し、２段目のクリック感触を伴って、中央固定接点１０と周辺固定接点２０とが、下部可動接点４０と上部可動接点５０を介して導通され、２段目のスイッチがオン状態となる。こうして、２段動作のプッシュスイッチを得ることができる。
【００１３】
また、本発明では第２の手段として、上記第１の手段において、上記各脚部４２には更に、上記下側脚片部４２ｅから第３曲げ部４２ｆを介して上方に傾斜して延設し先端側を上記付け根部４２ａの下方に対向して配置する延長部４２ｇをそれそれ設け、上記各脚部４２は、上記延長部４２ｇで片持ち梁状の復帰用補助板バネをそれぞれ形成し、上記折板が座屈した後に上記延長部４２ｇの先端側が上記付け根部４２ａに当接して押し下げられ、上記延長部４２ｇによって上記付け根部４２ａを上方に付勢する構成とした。
【００１４】
上記第２の手段によれば、１段目のスイッチがオン状態のとき、下部可動接点４０は、各脚部４２の延長部（復帰用補助板バネ）４２ｇによって環状部４１と各脚部４２との連設部である各脚部４２の付け根部４２ａが上方へ付勢されるため、上部可動接点５０の中央部の押し下げが解除されると、上部可動接点５０の中央部が押し下げられる前の無操作時の状態に、より確実に復帰することができる。
【発明の効果】
【００１５】
本発明によれば、下部可動接点（１段目）４０の動作ストロークを確保すると共に、動作音が小さい２段動作のプッシュスイッチを提供することができる。
【図面の簡単な説明】
【００１６】
【図１】本発明の一実施形態によるプッシュスイッチの構成部品を示す分解斜視図である。
【図２】本発明の一実施形態によるプッシュスイッチの外観を示す斜視図である。
【図３】本発明の一実施形態によるプッシュスイッチの内部構造を示す図２Ｚ−Ｚ断面図である。
【図４】本発明の一実施形態によるプッシュスイッチのボディの凹部に対する上部及び下部可動接点の収容状態を示す平面図である。
【図５】本発明の一実施形態によるプッシュスイッチのボディの凹部に対する下部可動接点の収容状態を示す平面図である。
【図６】本発明の一実施形態によるプッシュスイッチのボディを示す平面図である。
【図７】本発明の一実施形態によるプッシュスイッチのボディを示す図６Ｚ１−Ｚ１断面図である。
【図８】本発明の一実施形態によるプッシュスイッチの下部可動接点を示す平面図である。
【図９】本発明の一実施形態によるプッシュスイッチの下部可動接点を示す図８Ｚ２−Ｚ２断面図である。
【図１０】本発明の一実施形態によるプッシュスイッチの上部可動接点を示す平面図である。
【図１１】本発明の一実施形態によるプッシュスイッチの上部可動接点を示す図１０Ｘ−Ｘ断面図である。
【図１２】本発明の一実施形態によるプッシュスイッチの無操作時の状態から押圧操作され１段目のスイッチがオンになる直前の状態を示す図２Ｚ−Ｚ断面図である。
【図１３】本発明の一実施形態によるプッシュスイッチの１段目のスイッチオン時の状態を示す図２Ｚ−Ｚ断面図である。
【図１４】本発明の一実施形態によるプッシュスイッチの２段目のスイッチオン時の状態を示す図２Ｚ−Ｚ断面図である。
【発明を実施するための形態】
【００１７】
以下、本発明の一実施形態によるプッシュスイッチを上記図面に基づいて説明する。
【００１８】
図１〜３に示すように、本実施形態のプッシュスイッチは、ボディ１と、中央固定接点１０と、第１及び第２周辺固定接点２０，３０と、下部及び上部可動接点４０，５０と、絶縁カバー６０と、金属カバー７０とで構成される。
【００１９】
図６，７に示すように、ボディ１は、絶縁性の合成樹脂で内部に上面が開口した円形状の凹部２を有する外形が方形状の箱型に形成される。
【００２０】
ボディ１の４つの角部に対応する凹部２の内側壁の４箇所には、方形状の第１溝部３がそれぞれ設けられる。
【００２１】
ボディ１の２組の対向する外側壁のうち、１組の対向する外側壁の長さ方向中央部に対応する凹部２の内側壁の２箇所には、方形状の第２溝部４がそれぞれ設けられ、残り１組の対向する外側壁の長さ方向中央部に対応する凹部２の内側壁の２箇所には、方形状の突部５がそれぞれ設けられる。
【００２２】
ボディ１の凹部２の内底面中央には、導電性の金属で円柱形状に形成された中央固定接点１０が上方に突出した状態で配設される。
【００２３】
ボディ１の２つの第２溝部４に対応する凹部２の内底面外側部の２箇所のうち、１箇所には、導電性の金属で四角柱形状に形成された第１周辺固定接点２０が上方に突出した状態で配設され、残り１箇所には、導電性の金属で四角柱形状に形成された第２周辺固定接点３０が上方に突出した状態で配設される。
【００２４】
第１及び第２周辺固定接点２０，３０は、ボディ１の凹部２の内底面における中央固定接点１０の外側で、中央固定接点１０を対称点とする点対称の外側部の２箇所に、外側略半部が第２溝部４内に入り込み、内側略半部がボディ１の２つの突部５と同様に凹部２内に張り出した状態で配設される。
【００２５】
ボディ１の２組の対向する外側壁のうち、第１及び第２周辺固定接点２０，３０が中央固定接点１０を挟んで対向する方向とは直角の方向で対向する１組の外側壁の両端部には、機器などの回路基板への接続のため、中央固定接点１０と第１及び第２周辺固定接点２０，３０のそれぞれから導出された導電性の金属薄板からなる接続端子１１，２１，３１が配設される。
【００２６】
第１周辺固定接点２０とその接続端子２１、及び第２周辺固定接点３０とその接続端子３１のうち、何れか一方、例えば第１周辺固定接点２０とその接続端子２１は、第１及び第２スイッチのそれぞれの接点端子のコモン、すなわち共通接点と共通接続端子とされる。
【００２７】
図７に示すように、ボディ１の凹部２における上下方向の構造について、凹部２の内底面（下部可動接点４０の設置面）から高さｈ１の位置にある凹部２の内底面と平行な一平面内には、中央固定接点１０の平坦な上面１０ａが配設され、それより上方の高さｈ２（ｈ１＜ｈ２）の位置にある一平面内には、ボディ１の２つの突部５の平坦な上面５ａがそれぞれ配設され、それより上方の高さｈ３（ｈ１＜ｈ２＜ｈ３）の位置にある一平面内には、第１及び第２周辺固定接点２０，３０の上面２０ａ，３０ａがそれぞれ配設される。
【００２８】
図８，９に示すように、下部可動接点４０は、１枚の導電性の金属薄板からなり、ボディ１の２つの突部５の上面５ａと第１及び第２周辺固定接点２０，３０の上面２０ａ，３０ａの上方に間隔をあけて対向して位置するように、中央に中央固定接点１０の外径（直径）より大径な円形状の中央孔４１ａが設けられた外形がボディ１の凹部２の外径（直径）より小径であって中央孔４１ａと同心な円形状の環状部４１と、ボディ１の４つの第１溝部３内に位置するように、環状部４１の外周縁部から連続して４方向に延設されたボディ１の各第１溝部３の幅より小さい幅の４つの脚部４２とを有する。
【００２９】
環状部４１は、平板状に形成される。
【００３０】
各脚部４２には、環状部４１の外周縁部から第１曲げ部４２ｂを介して下方に傾斜して延設された上側脚片部４２ｃと、上側脚片部４２ｃから第２曲げ部（折返し部）４２ｄを介して上側脚片部４２ｃの下方に間隔をあけて延設された下側脚片部４２ｅとがそれぞれ設けられ、各脚部４２は、略Ｕ字状の板バネをそれぞれ形成する。
【００３１】
環状部４１の外周縁には、各脚部４２の第１曲げ部４２ｂの両側縁に連続する複数の切欠き部対４１ｂ，４１ｃが設けられる。
【００３２】
各脚部４２には、環状部４１における各切り欠き部対４１ｂ，４１ｃの対内の切り欠き部４１ｂ，４１ｃに挟まれた部分からなる付け根部４２ａがそれぞれ設けられ、各脚部４２は、付け根部４２ａと第１曲げ部４２ｂと上側脚片部４２ｃとで第１曲げ部４２ｂを頂部とする座屈可能な折板をそれぞれ形成する。
【００３３】
各脚部（略Ｕ字状の板バネ）４２は、折板（付け根部４２ａと第１曲げ部４２ｂと上側脚片部４２ｃ）が一斉に座屈する押圧力より小さい押圧力で一斉に圧縮変形し、折板は、上部可動接点５０の中央部が反転する押圧力より小さい押圧力で一斉に座屈する。
【００３４】
各脚部４２には、下側脚片部４２ｅから第３曲げ部４２ｆを介して上方に傾斜して延設され先端側が付け根部４２ａの下方に間隔をあけて対向して配置された延長部４２ｇがそれそれ設けられ、各脚部４２は、延長部４２ｇで片持ち梁状の復帰用補助板バネをそれぞれ形成する。
【００３５】
延長部（復帰用補助板バネ）４２ｇは、先端近傍で斜め下方に折り曲げられて全体的にヘ字状に形成され、延長部４２ｇの先端近傍の第４曲げ部（延長部４２ｇの頂部）が押圧部（当接部）４２ｈとして付け根部４２ａの下方に間隔をあけて対向して配置される。
【００３６】
図３，５に示すように、下部可動接点４０は、ボディ１の各第１溝部３に対応した各脚部４２がそれぞれ第１溝部３内に配置され、各脚部４２の上側脚片部４２ｃが付け根部４２ａから第１曲げ部４２ｃを介して第１溝部３の内奥下部に向かって下方に傾斜して延設され、また、各脚部４２の第２曲げ部４２ｄがそれぞれ第１溝部３の内奥にある凹部２の内側壁の手前側に所定の間隔Ｇをあけて配設され、そして、ボディ１の各第１溝部３にある凹部２の内底面外側部の４箇所に対応した各脚部４２の下脚片部４２ｅがそれぞれ凹部２の内底面外側部に当接されて、ボディ１の凹部２内に収容される。その状態で、中央孔４１ａが設けられた環状部４１が、各脚部４２によってボディ１の凹部２内でその内底面に対して略平行で上下移動可能に持ち上げ支持され、第１及び第２固定接点２０，３０の上面２０ａ，３０ａに対して接離可能に、ボディ１の２つの突部５の上面５ａと第１及び第２固定接点２０，３０の上面２０ａ，３０ａの上方に間隔をあけて対向して配置される。
【００３７】
ボディ１の凹部２の内側壁と下部可動接点４０の環状部４２の外周縁との間、及びボディ１の各溝部４の奥行き方向の両側にある凹部２の内側壁と下部可動接点４０の各脚部４２の両側縁との間には、下部可動接点４０の円滑な動作に必要な隙間（クリアランス）がそれぞれ設けられる。
【００３８】
図１０，１１に示すように、上部可動接点５０は、下部可動接点４０の環状部４１上に載置し、上部可動接点５０の外周縁部が下部可動接点４０の環状部４１の外周縁部、及び下部可動接点４０の各脚部４２の第１曲げ部４２ｂ又は付け根部４２ａに当接するように、下部可動接点４０の環状部４１の外径と略同径の外径を有する上方に膨出した円形状のドーム状金属薄板（円形状のドーム状板バネ）からなる。
【００３９】
上部可動接点５０には、下部可動接点４０の環状部４１の外径より小径で環状部４１の内径（中央孔４１ａの直径）より大径であって、上部可動接点５０の外形と同心な円形状の変曲部５０ａが設けられ、変曲部５０ａより外側の周辺部で上部可動接点５０の設置面（下部可動接点４０の環状部４１の上面）と上部可動接点５０とで作られる角度が大きくなっており、上部可動接点５０の変曲部５０ａより内側の中央部が所定以上の押圧力で押し下げられたときに、そこが反転するように形成される。
【００４０】
図３，４に示すように、上部可動接点５０は、ボディ１の凹部２内に収容された下部可動接点４０の環状部４１上に載置され、その状態で、上部可動接点５０の外周縁部が下部可動接点４０の環状部４１の外周縁部、及び下部可動接点４０の各脚部４２の第１曲げ部４２ｂと付け根部４２ａとの境目又はその付近に当接され、上部可動接点５０の反転可能な中央部が中央固定接点１０の上面１０ａの上方に下部可動接点４０の中央孔４１ａを通して間隔をあけて対向して配設される。
【００４１】
上部可動接点５０の中央部は、ボディ１の凹部２の上面から上方に膨出される。
【００４２】
ボディ１の凹部２の内側壁と上部可動接点５０の外周縁との間には、上部可動接点５０の円滑な上下移動に必要な隙間（クリアランス）が設けられる。
【００４３】
図１〜３に示すように、絶縁カバー６０は、可撓性を有する絶縁性の合成樹脂製の方形状のシートからなり、ボディ１の凹部２の上面を塞ぐように、ボディ２１の上部に配置される。
【００４４】
絶縁カバー６０は、可撓性を有する絶縁性の合成樹脂製の方形状のシートからなるテープ基材の下面に粘着剤が設けられた粘着テープであってもよい。粘着テープは、粘着テープの中央部がボディ１の凹部２の上面から上方に膨出された上部可動接点５０の中央部に貼り付けられた状態で、粘着テープの外側部がボディ１の凹部２の上面の周囲にある平坦な上面（ボディ１の側壁の上端面）に貼り付けられ、ボディ１の上部に固定される。
【００４５】
図１〜３に示すように、金属カバー７０は、中央に円形状の中央孔７１が設けられその中央孔７１から絶縁カバー６０の中央部（上部可動接点５０の中央部を覆って上方に膨出した円形ドーム状になっている）を露出した状態で、ボディ１の上部を覆う方形平板状の金属板である。
【００４６】
金属カバー７０には、その２組の対向する側縁のうち、両端部に接続端子１１，２１，３１が配設されたボディ１の１組の対向する外側壁に対応する１組の側縁の中央部から下方に延設されそのボディ１の１組の対向する外側壁を挟む１組の第１脚片７２と、接続端子１１，２１，３１が配設されていないボディ１の１組の対向する外側壁に対応する残り１組の側縁から下方に延設されそのボディ１の１組の対向する外側壁を挟む１組の第２脚片７３とが設けられ、金属カバー７０は、２組の第１及び第２脚片７２，７３でボディ１の上部に位置決めされる。
【００４７】
金属カバー７０には、各第２脚片７３の両側部をＬ形フック状にそれぞれ形成するように、各第２脚片７３の下縁両端部からボディ１の下面に沿って内側に略直角に延設された係止爪７４が設けられ、金属カバー７０は、それと各係止爪７４とでボディ１の上面と下面を挟んだ状態で、ボディ１の上部に固定される。この際、ボディ１の上面と金属カバー７０との間に絶縁カバー６０が挟まれて固定される。
【００４８】
金属カバー７０の第１及び第２脚片７２，７３（４つの脚片）の少なくとも１つは、機器などの回路基板に接続されアース端子として使用される。
【００４９】
金属カバー７０は、１枚の導電性の金属板からなる。
【００５０】
上記のように本実施形態のプッシュスイッチは構成されており、続いて、その動作について、図３及び図１２〜１４を参照して説明する。
【００５１】
［１段目動作］
図３に示した無操作時の状態から、絶縁カバー６０を介して上部可動接点５０の中央部が押し下げられると、上部可動接点５０の外周縁部で下部可動接点４０の環状部４１の外周縁部、及び下部可動接点４０の各脚部４２の第１曲げ部４２ｂと付け根部４２ａとの境目又はその付近が下方に押圧され、図１２に示したように、下部可動接点４０の環状部４１は平板状、また、上部可動接点５０は上方に膨出したドーム状のまま、下部可動接点４０の環状部４１と上部可動接点５０とが一体的に押し下げられると共に、下部可動接点４０の各脚部（略Ｕ字状の板バネ）４２が一斉に圧縮変形しながら外側に広がり、各脚部４２の第２曲げ部４２ｄがボディ１の各第１溝部３の内奥にある凹部２の内側壁に一斉に突き当たる。
【００５２】
続いて、図１２に示した状態から、更に絶縁カバー６０を介して上部可動接点５０の中央部が押し下げられると、図１３に示したように、ボディ１の各第１溝部３の内奥にある凹部２の内側壁と下部可動接点４０の平板状の環状部４１との間で、下部可動接点４０の各脚部４２の折板（付け根部４２ａと第１曲げ部４２ｂと上側脚片部４２ｃ）が一斉に上膨らみ状から下膨らみ状に反転して飛移り座屈し、下部可動接点４０の環状部４１は平板状、また、上部可動接点５０は上方に膨出したドーム状のまま、更に下部可動接点４０の環状部４１と上部可動接点５０とが一体的に押し下げられ、下部可動接点４０の平板状の環状部４１が対向する第１及び第２周辺固定接点２０，３０の上面２０ａ，３０ａに突き当たって接触する。すると、第１及び第２周辺固定接点２０，３０同士が、下部可動接点４０を介して導通され、１段目のスイッチがオン状態となる。
【００５３】
上記のように下部可動接点４０では、環状部４１の反転を伴わない１段目動作となり、中央部が中央孔開きのドーム形状で反転する従来の下部可動接点（１段目）とは異なり、各脚部４２の一斉圧縮変形によって動作ストロークを確保することができると共に、各脚部４２の折板の一斉座屈によってクリック感触を付与することができる。また、環状部４１に比べて小さい各脚部４２であって、更にその各脚部４２の一部である折板が座屈するだけで１段目の動作音は小さくなる。
【００５４】
また、下部可動接点４０では、各脚部４２の折板が座屈した後、下部可動接点４０の環状部４１と上部可動接点５０とが一体的に下動する際、延長部（復帰用補助板バネ）４２ｇの先端側の押圧部４２ｈが付け根部４２ａに当接して押し下げられ、延長部４２ｇによって付け根部４２ａを上方に付勢する。
【００５５】
なお、ボディ１の２つの突部５の上面５ａは、下部可動接点４０の環状部４１が第１及び第２周辺固定接点２０，３０の上面２０ａ，３０ａに突き当たって接触した状態（１段目のスイッチがオン状態）で、その環状部４１の第１及び第２周辺固定接点２０，３０の上面２０ａ，３０ａとの接触箇所から略９０回転した２箇所の直下に僅かな隙間をあけて対向しており、ボディ１の２つの突部５は、下部可動接点４０の環状部４１が傾くのを規制し、下部可動接点４０の環状部４１と第１及び第２周辺固定接点２０，３０との接触信頼性、及び後述する上部可動接点５０の中央部と中央固定接点１０との接触信頼性を確保する役目を担う。
【００５６】
［２段目動作］
そして、図１３に示した状態から、更に絶縁カバー６０を介して上部可動接点５０の中央部が押し下げられると、上部可動接点５０の設置面（下部可動接点４０の環状部４１）は第１及び第２周辺固定接点２０，３０の上面２０ａ，３０ａに突き当たっており、それ以上押し下げられることはないため、図１４に示すように、上部可動接点５０の中央部が反転して下部可動接点４０の中央孔４１ａを通して対向する中央固定接点１０の上面１０ａに突き合い接触し、２段目のクリック感触を伴って、中央固定接点１０と第１周辺固定接点２０とが、下部可動接点４０と上部可動接点５０を介して導通され、２段目のスイッチがオン状態となる。
【００５７】
上記のように本実施形態のプッシュスイッチは、下部可動接点４０が１段目動作、上部可動接点５０が２段目反転動作となり、２段で動作する。
【００５８】
［復帰動作］
図１４に示した状態から、上部可動接点５０の中央部の押し下げが解除されると、先ず、上部可動接点６０の中央部が元の上方に膨出したドーム状に弾性復帰して、中央固定接点１０の上面１０ａから上部可動接点５０の中央部が上方に離反し、中央固定接点１０と第１周辺固定接点２０との導通が断たれ、２段目のスイッチがオフ状態となり（図１３に示した状態）、続いて、下部可動接点４０の各脚部４２の折板が元の上膨らみ状に弾性復帰して、下部可動接点４０の環状部４１と上部可動接点５０とが一体的に押し上げられて、第１及び第２周辺固定接点２０，３０の上面２０ａ，３０ａから下部可動接点４０の環状部４１が上方に離反し、第１及び第２周辺固定接点２０，３０同士の導通が断たれ、１段目のスイッチがオフ状態となり（図１２に示した状態）、最後に、下部可動接点４０の各脚部４２が元の略Ｕ字状に弾性復帰して、更に下部可動接点４０の環状部４１と上部可動接点５０とが一体的に押し上げられ、図３に示した無操作時の状態に復帰する。
【００５９】
復帰動作の際、下部可動接点４０の環状部４１と各脚部４２との連設部である各脚部４２の付け根部４２ａには上方への押圧力が働いているため、より確実に復帰することができる。
【００６０】
上記のように本実施形態では本発明の好適な一実施形態を説明したが、本発明はそれに限定されることなく、その要旨を逸脱しない範囲内で種々変形実施することができる。また、本発明の下部可動接点は、１段動作のプッシュスイッチの１枚の可動接点としても使用することができるものである。
【符号の説明】
【００６１】
１  ボディ
２  凹部
３  第１溝部
１０  中央固定接点
２０  第１周辺固定接点
３０  第２周辺固定接点
４０  下部可動接点
４１  環状部
４１ａ  中央孔
４１ｂ，４１ｃ  切欠き部対
４２  脚部
４２ａ  付け根部
４２ｂ  第１曲げ部
４２ｃ  上側脚片部
４２ｄ  第２曲げ部
４２ｅ  下側脚片部
４２ｆ  第３曲げ部
４２ｇ  延長部
５０  上部可動接点
Ｇ  間隔
【図１】
2012146484.tif 000003
【図２】
2012146484.tif 000004
【図３】
2012146484.tif 000005
【図４】
2012146484.tif 000006
【図５】
2012146484.tif 000007
【図６】
2012146484.tif 000008
【図７】
2012146484.tif 000009
【図８】
2012146484.tif 000010
【図９】
2012146484.tif 000011
【図１０】
2012146484.tif 000012
【図１１】
2012146484.tif 000013
【図１２】
2012146484.tif 000014
【図１３】
2012146484.tif 000015
【図１４】
2012146484.tif 000016